(57)【特許請求の範囲】
【請求項１】
ユーザ端末は、
（ａ）第１の予め定められたチャンネル範囲を走査し、
（ｂ）前記第１のチャンネル範囲の最も強いおよび２番目に強いチャンネルをステップ（ａ）で行われた前記走査に基づいて決定し、
（ｃ）前記第１のチャンネル範囲の前記最も強いチャンネルによって受信された信号に関連した第１のシステム識別コード（ＳＩＤ）が受理可能かどうかを決定し、
（ｄ）前記第１のＳＩＤが受理可能でない場合、前記第１のチャンネル範囲の前記２番目に強いチャンネルによって受信された別の信号に関連した第２のＳＩＤが受理可能かどうかを決定し、
（ｅ）前記第１のＳＩＤが受理可能である場合、前記第１のＳＩＤを保存し、
（ｆ）前記第１のＳＩＤが受理可能ではなく、前記第２のＳＩＤが受理可能である場合に前記第２のＳＩＤを保存し、
（ｇ）第２の予め定められたチャンネル範囲を走査し、
（ｈ）前記第２のチャンネル範囲の最も強いおよび２番目に強いチャンネルをステップ（ｇ）で行われた前記走査に基づいて決定し、
（ｉ）（１）前記第１のＳＩＤがステップ（ｅ）において保存された場合、前記第２のチャンネル範囲の前記最も強いチャンネルによって受信された信号に関連したＳＩＤが前記第１のＳＩＤに等しいかどうかの決定、
（２）前記第２のＳＩＤがステップ（ｆ）において保存された場合、前記第２のチャンネル範囲の前記最も強いチャンネルによって受信された前記信号に関連した前記ＳＩＤが前記第２のＳＩＤに等しいかどうかの決定、
のいずれかのステップを行い、
（ｊ）前記最も強いチャンネルによって受信された前記信号に関連した前記ＳＩＤがステップ（ｅ）で保存された前記第１のＳＩＤおよびステップ（ｆ）で保存された前記第２のＳＩＤの一方に等しくない場合、
（１）前記第１のＳＩＤがステップ（ｅ）において保存された場合、前記第２のチャンネル範囲の２番目に強いチャンネルによって受信された信号に関連したＳＩＤが前記第１のＳＩＤに等しいかどうかの決定、
（２）前記第２のＳＩＤがステップ（ｆ）において保存された場合、前記第２のチャンネル範囲の前記２番目に強いチャンネルによって受信された前記信号に関連した前記ＳＩＤが前記第２のＳＩＤに等しいかどうかの決定、
のいずれかのステップを行うステップを含んでおり、
前記第１のチャンネル範囲は前記第２のチャンネル範囲と同じである、同じ周波数を共有する２つの通信システムによってサービスされている境界領域においてサービスを獲得する可能性を改善する方法。
【請求項２】
ステップ（ａ）は、少なくとも１つの受理可能なキャリアの専用の制御チャンネルに関連した周波数の予め定められた範囲を走査するステップを含んでいる請求項１記載の方法。
【請求項３】
ステップ（ｂ）は、
最大のパワーを有している前記周波数範囲内の周波数帯域を決定し、
第２の最大のパワーを有している前記周波数範囲内の別の周波数帯域を決定するステップを含んでいる請求項２記載の方法。
【請求項４】
ステップ（ｃ）は、前記第１のＳＩＤを少なくとも１つの受理可能なＳＩＤのリストと比較するステップを含んでいる請求項１記載の方法。
【請求項５】
ステップ（ｄ）は、前記第２のＳＩＤを前記少なくとも１つの受理可能なＳＩＤのリストと比較するステップを含んでいる請求項４記載の方法。
【請求項６】
ステップ（ｂ）と（ｃ）との間において、
前記最も強いチャンネルによって受信された前記信号を復調し、
前記第１のＳＩＤを前記復調された信号から決定するステップをさらに含んでいる請求項１記載の方法。
【請求項７】
ステップ（ｃ）と（ｄ）との間において、
前記２番目に強いチャンネルによって受信された前記別の信号を復調し、
前記第２のＳＩＤを前記復調された別の信号から決定するステップをさらに含んでいる請求項１記載の方法。
【請求項８】
ステップ（ｇ）は、受理可能なキャリアのペイジングチャンネルに関連した第２の予め定められた範囲の周波数を走査するステップを含んでいる請求項１記載の方法。
【請求項９】
ステップ（ｈ）は、
最大のパワーを有している前記第２の周波数範囲内の周波数帯域を決定し、
第２の最大のパワーを有している前記第２の周波数範囲内の別の周波数帯域を決定するステップを含んでいる請求項１記載の方法。
【請求項１０】
（ｋ）前記第１のＳＩＤがステップ（ｅ）において保存されており、前記第２のチャンネル範囲の前記最も強いチャンネルによって受信された信号に関連した前記ＳＩＤが前記第１のＳＩＤと同じである場合、前記第２のチャンネル範囲の前記最も強いチャンネルを監視し、
（ｌ）前記第２のＳＩＤがステップ（ｆ）において保存されており、前記第２のチャンネル範囲の前記２番目に強いチャンネルによって受信された信号に関連した前記ＳＩＤが前記第２のＳＩＤと同じである場合、前記第２のチャンネル範囲の前記２番目に強いチャンネルを監視するステップをさらに含んでいる請求項１記載の方法。
【請求項１１】
第１の予め定められたチャンネル範囲の走査をコンピュータに制御させる第１のコンピュータ読出し可能なプログラムコード手段と、
前記第１のチャンネル範囲の最も強いおよび２番目に強いチャンネルを前記走査に基づいてコンピュータに決定させる第２のコンピュータ読出し可能なプログラムコード手段と、
前記第１のチャンネル範囲の前記最も強いチャンネルによって受信された信号に関連した第１のシステム識別コード（ＳＩＤ）が受理可能かどうかをコンピュータに決定させる第３のコンピュータ読出し可能なプログラムコード手段と、
前記第１のＳＩＤが受理可能でない場合、前記第１のチャンネル範囲の前記２番目に強いチャンネルによって受信された別の信号に関連した第２のＳＩＤが受理可能かどうかをコンピュータに決定させる第４のコンピュータ読出し可能なプログラムコード手段と、
前記第１のＳＩＤが受理可能である場合、前記第１のＳＩＤをコンピュータに保存させる第５のコンピュータ読出し可能なプログラムコード手段と、
前記第１のＳＩＤが受理可能でなく、前記第２のＳＩＤが受理可能である場合に前記第２のＳＩＤをコンピュータに保存させる第６のコンピュータ読出し可能なプログラムコード手段と、
第２の予め定められたチャンネル範囲の更なる走査をコンピュータに制御させる第７のコンピュータ読出し可能なプログラムコード手段と、
前記第２のチャンネル範囲の最も強いおよび２番目に強いチャンネルを前記更なる走査に基づいてコンピュータに決定させる第８のコンピュータ読出し可能なプログラムコード手段と、
（１）前記第５のコンピュータ読出し可能なプログラムコード手段が前記第１のＳＩＤをコンピュータに保存させた場合、前記第２のチャンネル範囲の前記最も強いチャンネルによって受信された信号に関連したＳＩＤが前記第１のＳＩＤに等しいかどうかの決定、
（２）前記第６のコンピュータ読出し可能なプログラムコード手段が前記第２のＳＩＤをコンピュータに保存させた場合、前記第２のチャンネル範囲の前記最も強いチャンネルによって受信された前記信号に関連した前記ＳＩＤが前記第２のＳＩＤに等しいかどうかの決定、
のいずれかのステップをコンピュータに行なわせる第９のコンピュータ読出し可能なプログラムコード手段と、
前記最も強いチャンネルによって受信された前記信号に関連した前記ＳＩＤが前記第５のコンピュータ読出し可能なプログラムコード手段により保存された前記第１のＳＩＤおよび前記第６のコンピュータ読出し可能プログラムコード手段により保存された前記第２のＳＩＤの一方に等しくなかった場合に、
（１）前記第５のコンピュータ読出し可能なプログラムコード手段がコンピュータに前記第１のＳＩＤを保存させた場合、前記第２のチャンネル範囲の前記２番目に強いチャンネルによって受信された信号に関連したＳＩＤが前記第１のＳＩＤに等しいかどうかの決定、
（２）前記第６のコンピュータ読出し可能プログラムコード手段がコンピュータに前記第２のＳＩＤを保存させた場合、前記第２のチャンネル範囲の前記２番目に強いチャンネルによって受信された前記信号に関連した前記ＳＩＤが前記第２のＳＩＤに等しいかどうかの決定、
のいずれかのステップをコンピュータに行わせる第１０のコンピュータ読出し可能プログラムコード手段とを含んでおり、
前記第１のコンピュータ読出し可能なプログラムコード手段によって走査された第１のチャンネル範囲は、前記第７のコンピュータ読出し可能なプログラムコード手段によって走査された前記第２のチャンネル範囲と同じである、ユーザ端末のコンピュータにサービスを獲得させる制御論理が記憶されたコンピュータ使用可能媒体。
【請求項１２】
前記第１のコンピュータ読出し可能なプログラムコード手段は、受理可能なキャリアの専用の制御チャンネルに関連した周波数の予め定められた範囲をコンピュータに走査させる請求項１１記載のコンピュータ使用可能媒体。
【請求項１３】
前記第２のコンピュータ読出し可能なプログラムコード手段は、最大のパワーを有している前記周波数範囲内の周波数帯域と、第２の最大のパワーを有している前記周波数範囲内の別の周波数帯域とをコンピュータに決定させる請求項１２記載のコンピュータ使用可能媒体。
【請求項１４】
前記第３のコンピュータ読出し可能なプログラムコード手段は、コンピュータに前記第１のＳＩＤを少なくとも１つの受理可能なＳＩＤのリストと比較させる請求項１１記載のコンピュータ使用可能媒体。
【請求項１５】
前記第４のコンピュータ読出し可能なプログラムコード手段は、コンピュータに前記第２のＳＩＤを前記少なくとも１つの受理可能なＳＩＤのリストと比較させる請求項１４記載のコンピュータ使用可能媒体。
【請求項１６】
前記第７のコンピュータ読出し可能なプログラムコード手段は、受理可能なキャリアのペイジングチャンネルに関連した第２の予め定められた範囲の周波数の走査をコンピュータに制御させる請求項１１記載のコンピュータ使用可能媒体。
【請求項１７】
前記第８のコンピュータ読出し可能なプログラムコード手段は、最大のパワーを有している前記第２の周波数範囲内の周波数帯域と、第２の最大のパワーを有している前記第２の周波数範囲内の別の周波数帯域とをコンピュータに決定させる請求項１１記載のコンピュータ使用可能媒体。
【請求項１８】
第１の予め定められたチャンネル範囲を走査する第１の手段と、
前記走査する第１の手段に結合され、前記第１のチャンネル範囲の最も強いおよび２番目に強いチャンネルを決定する第２の手段と、
前記第１のチャンネル範囲の前記最も強いチャンネルによって受信された信号に関連した第１のシステム識別コード（ＳＩＤ）が受理可能であるかどうかを決定する第３の手段と、
前記第１のＳＩＤが受理可能でない場合、前記第１のチャンネル範囲の前記２番目に強いチャンネルによって受信された別の信号に関連した第２のＳＩＤが受理可能かどうかを決定する第４の手段と、
前記第１のＳＩＤが受理可能である場合、前記第１のＳＩＤを保存する第５の手段と、
前記第１のＳＩＤが受理可能ではなく、前記第２のＳＩＤが受理可能である場合に前記第２のＳＩＤを保存する第６の手段と、
第２の予め定められたチャンネル範囲をさらに走査する第７の手段と、
前記第２のチャンネル範囲の最も強いおよび２番目に強いチャンネルを、前記第７の手段で行われたさらなる走査に基づいて決定する第８の手段と、
（１）前記第１のＳＩＤが前記第５の手段によって保存された場合、前記第２のチャンネル範囲の前記最も強いチャンネルによって受信された信号に関連したＳＩＤが前記第１のＳＩＤに等しいかどうかの決定、
（２）前記第２のＳＩＤが前記第６の手段によって保存された場合、前記第２のチャンネル範囲の前記最も強いチャンネルによって受信された前記信号に関連した前記ＳＩＤが前記第２のＳＩＤに等しいかどうかの決定、
のいずれかのステップを行う第９の手段と、
前記最も強いチャンネルによって受信された前記信号に関連した前記ＳＩＤが前記第５の手段によって保存された前記第１のＳＩＤおよび前記第６の手段によって保存された前記第２のＳＩＤの一方に等しくない場合、
（１）前記第１のＳＩＤが前記第５の手段によって保存された場合、前記第２のチャンネル範囲の２番目に強いチャンネルによって受信された信号に関連したＳＩＤが前記第１のＳＩＤに等しいかどうかの決定、
（２）前記第２のＳＩＤが前記第６の手段によって保存された場合、前記第２のチャンネル範囲の前記２番目に強いチャンネルによって受信された前記信号に関連した前記ＳＩＤが前記第２のＳＩＤに等しいかどうかの決定、のいずれかのステップを行う第１０の手段とを含んでおり、
前記第１のチャンネル範囲は前記第２のチャンネル範囲と同じである、同じ周波数を共有する２つの通信システムによってサービスされている境界領域においてサービスを獲得する可能性を改善するための装置。
【請求項１９】
さらに、前記第１のＳＩＤを少なくとも１つの受理可能なＳＩＤのリストと比較する手段を含んでいる請求項１８記載の装置。
【請求項２０】
さらに、最大のパワーを有している前記周波数範囲内の周波数帯域を決定する手段と、
第２の最大のパワーを有している前記周波数範囲内の別の周波数帯域を決定する手段とを含んでいる請求項１８記載の装置。
【請求項２１】
第１のシステム識別（ＳＩＤ）信号を送信する第１のセルサイトと、
前記第１のＳＩＤとは異なる第２のＳＩＤを送信する第２のセルサイトと、
移動セルラー通信装置とを含んでおり、
前記移動セルラー通信装置が、
前記第１および第２のセルサイトの少なくとも一方によって送信された第１の予め定められたチャンネル範囲を走査する第１の手段と、
前記走査する第１の手段に結合され、前記第１のチャンネル範囲の最も強いおよび２番目に強いチャンネルを決定する第２の手段と、
前記第１のチャンネル範囲の前記最も強いチャンネルによって受信された信号に関連した第１のＳＩＤが受理可能かどうかを決定する第３の手段と、
前記第１のＳＩＤが受理可能でない場合、前記第１のチャンネル範囲の前記２番目に強いチャンネルによって受信された別の信号に関連した第２のＳＩＤが受理可能かどうかを決定する第４の手段と、
前記第１のＳＩＤが受理可能である場合、前記第１のＳＩＤを保存する第５の手段と、
前記第１のＳＩＤが受理可能ではなく、前記第２のＳＩＤが受理可能である場合に前記第２のＳＩＤを保存する第６の手段と、
第２の予め定められたチャンネル範囲をさらに走査する第７の手段と、
前記第２のチャンネル範囲の最も強いおよび２番目に強いチャンネルを、前記第７の手段で行われたさらなる走査に基づいて決定する第８の手段と、
（１）前記第１のＳＩＤが前記第５の手段によって保存された場合、前記第２のチャンネル範囲の前記最も強いチャンネルによって受信された信号に関連したＳＩＤが前記第１のＳＩＤに等しいかどうかの決定、
（２）前記第２のＳＩＤが前記第６の手段によって保存された場合、前記第２のチャンネル範囲の前記最も強いチャンネルによって受信された前記信号に関連した前記ＳＩＤが前記第２のＳＩＤに等しいかどうかの決定、
のいずれかのステップを行う第９の手段と、
前記最も強いチャンネルによって受信された前記信号に関連した前記ＳＩＤが前記第５の手段によって保存された前記第１のＳＩＤおよび前記第６の手段によって保存された前記第２のＳＩＤの一方に等しくない場合、
（１）前記第１のＳＩＤが前記第５の手段によって保存された場合、前記第２のチャンネル範囲の２番目に強いチャンネルによって受信された信号に関連したＳＩＤが前記第１のＳＩＤに等しいかどうかの決定、
（２）前記第２のＳＩＤが前記第６の手段によって保存された場合、前記第２のチャンネル範囲の前記２番目に強いチャンネルによって受信された前記信号に関連した前記ＳＩＤが前記第２のＳＩＤに等しいかどうかの決定、のいずれかのステップを行う第１０の手段とを含んでおり、
前記第１のチャンネル範囲は前記第２のチャンネル範囲と同じである、無線セルラー通信システム。
【発明の詳細な説明】
【０００１】
【発明の属する技術分野】
本発明は、一般に無線通信システムに関し、とくに２つのサービス領域間の“境界領域”においてサービスを獲得する可能性を改善する方法および装置に関する。
【０００２】
【従来の技術】
セルラー通信システムは一般に、セルとして知られている多数の小さい地理的領域を含む地理的サービス領域にサービスを提供する。各セルは、セルサイトまたは基地局として知られている送信機−受信機ステーションによってサービスされる。セルサイトは地上ライン、またはマイクロ波リンクのような別の通信リンクによって移動電話交換局（ＭＴＳＯ）に接続されている。ＭＴＳＯは公衆交換電話網に接続されている。
【０００３】
現在のＦＣＣルール下では、任意の所定の地理的サービス領域は２つのまでの競合するセルラー無線通信サービスのプロバイダ（サービスプロバイダ、システムプロバイダ、セルラーキャリア、または単に“キャリア”とも呼ばれる）によってサービスされてもよい。任意の所定の地理的位置内の２つのキャリアをそれぞれ“Ａ”および“Ｂ”キャリアとして一般的に示すと、“Ａ”および“Ｂ”の各キャリアは、キャリアを特有に識別するシステム識別コード（ＳＩＤ）に関連付けられている。たとえば、キャリアＡはベル・アトランティック社であり、ＳＤＩ＝４６を有していてもよく、またキャリアＢはセルラー・ワン社であり、ＳＤＩ＝２５を有していてもよい。任意の所定の地理的サービス領域内の２つのサービスプロバイダは、サービスが提供される周波数の異なったグループ（またはセット）を割当てられる。すなわち、キャリアＡは第１の周波数セットを割当てられており、キャリアＢはＡの周波数セットと重複しない第２の周波数セットを割当てられている。
【０００４】
【発明が解決しようとする課題】
一般に、所定の各地理的サービス領域には１以上の隣接した地理的サービス領域がある。隣接した地理的サービス領域のそれぞれもまた“Ａ´”および“Ｂ´”キャリアと呼ばれる２つのキャリアによってサービスされている。ＡキャリアおよびＡ´キャリアのそれぞれのＳＩＤは異なる。同様に、ＢキャリアおよびＢ´キャリアのそれぞれのＳＩＤは異なる。しかしながら、ＡキャリアおよびＡ´キャリアは共に同じ周波数セットを使用してサービスを提供する。同様に、ＢキャリアおよびＢ´キャリアは共に同じ周波数セットを使用してサービスを提供する。２つの地理的サービス領域が一致する（たとえば、キャリアＡのセルがキャリアＡ´のセルと重複する）領域はしばしば“境界領域”と呼ばれる。以下に説明するように、このような境界領域内でユーザ端末がサービスを獲得する場合に問題が生じることがある。
【０００５】
【課題を解決するための手段】
本発明は、同じ周波数を共有する２つの通信システムによってサービスされる境界領域においてサービスを獲得するための方法および装置に関する。本発明の方法は、最も強いおよび２番目に強い制御チャンネルを決定するために制御チャンネルの予め定められた範囲を走査するステップを含んでいる。その後、最も強い制御チャンネルによって受取られた信号に関連した第１のシステム識別コード（ＳＩＤ）が受理可能であるかどうかが決定される。これは、たとえば、第１のＳＩＤを受容可能なＳＩＤのリストと比較することによって行われることができる。通常、最も強い制御チャンネルにより受信された信号に関連したＳＩＤが受理可能でない場合には、システム獲得プロセスは中止される。しかしながら、本発明では、第１のＳＩＤが受理可能でないと認められた場合に、２番目に強い制御チャンネルにより受信された信号に関連したＳＩＤが受理可能かどうかが決定されるため、サービスを獲得する可能性が増加する。
【０００６】
通常、２番目に強い制御チャンネルにより受信された信号に関連したＳＩＤは、最も強い制御チャンネルにより受信された信号の復調に成功しなかった場合にのみ決定される。たとえば、これは、最も強い制御チャンネルにより受信された信号が制御信号ではなく雑音から形成された信号である場合に生じる可能性がある。それとは対照的に、本発明の方法において、２番目に強い制御チャンネルのＳＩＤは、最も強い制御チャンネルにより受信された信号の復調が成功した（受理可能でないＳＩＤと関連付けられた）場合でも考慮される。本発明の方法は、ユーザ端末により受信された最も強い制御信号が受理できないＳＩＤと関連付けられる（換言すると、受理不可能なキャリアと関連付けられる）領域においてそのユーザ端末がサービスを獲得する可能性を著しく増加させる。
【０００７】
本発明の方法はさらに、第１のＳＩＤが受理可能な場合に、その第１のＳＩＤを保存するステップを含んでいる。第１のＳＩＤが受取可能ではないことが認められた場合、第２のＳＩＤが受理可能であると分かったならば、第２のＳＩＤが保存される。
【０００８】
その後、ペイジングチャンネルが走査され、最も強いおよび２番目に強いペイジングチャンネルが決定される。通常、最も強いペイジングチャンネルによって受信された信号が実際にペイジング信号である場合、最も強いペイジングチャンネルに関連したＳＩＤが保存されているＳＩＤに等しくなければ、システム獲得は中止される。本発明は、最も強いチャンネルに関連したＳＩＤが保存されたＳＩＤに等しくなかった場合に、２番目に強いペイジングチャンネルに関連したＳＩＤが保存されたＳＩＤに等しいかどうかを決定することによってユーザ端末（ＵＴ）がサービスを獲得する可能性を増加させる。
【０００９】
通常、２番目に強いペイジングチャンネルにより受信された信号に関連したＳＩＤは、最も強い制御チャンネルにより受信された信号が実際にはペイジング信号でなかった場合にのみ決定される。たとえば、これは、最も強いペイジングチャンネルにより受信された信号がペイジング信号ではなく雑音から形成された信号である場合に生じる可能性がある。それとは対照的に、本発明の方法において、２番目に強いペイジングチャンネルのＳＩＤは、最も強いペイジングチャンネルにより受信された信号が実際にはペイジング信号であった（たとえば、最も強いペイジングチャンネルが保存されているＳＩＤに等しくないＳＩＤと関連付けられた）場合でも考慮される。
【００１０】
【発明の実施の形態】
本発明の特徴、目的および利点は以下の詳細な説明および添付図面を参照することによってさらに明らかになるであろう。なお、図面において同じ参照符号が同じまたは類似した構成要素を示している。
以下、本発明の好ましい実施形態を詳細に説明する。特定のステップ、構成および配置が説明されているが、これは単なる例示に過ぎないことを認識すべきである。当業者は、本発明の技術的範囲を逸脱することなく別のステップ、構成および配置が使用可能であることを認識するであろう。
［例示的な環境］
本発明を詳細に説明する前に、本発明が実施されることのできる例示的な環境を説明することが有効である。本発明は、任意のアナログ通信システムにおいて、とくにユーザにサービスを提供する可能性を増加させることが望ましいものにおいて実施されることが可能である。このような環境には、移動またはポータブル電話サービス用のセルラー電話システムが含まれるが、それに限定されない。
【００１１】
図１には、本発明が有用な例示的な環境が示されている。移動電話交換局（ＭＴＳＯ）とも呼ばれるシステム制御装置およびスイッチ110 は典型的に、システム制御をセルサイトに渡すインターフェースおよび処理回路を含んでいる。制御装置110 はまた、適当なユーザ端末（いくつかの通信システムにおいて、好みに応じて時として加入者装置、移動局、移動体装置または単に“ユーザ”あるいは“加入者”とも呼ばれる）に伝送するために公衆交換電話網（ＰＳＴＮ）から適切なセルサイトまでの電話呼の経路設定を制御する。制御装置110 はまたユーザ端末から少なくとも１つのセルサイトを介してＰＳＴＮまでの電話呼の経路設定を制御する。制御装置110 は適切なセルサイトを介してユーザ端末間において呼を導くことができる。それは、ユーザ端末が一般的には互いに直接通信しないからである。制御装置110 は専用電話回線、光ファイバリンクあるいはマイクロ波通信リンクのような種々の手段によって、セルサイトと通信することができる。図１では、２つのこのような例示的なセルサイトであるセルサイト112 およびセルサイト114 が例示的なユーザ端末118 と共に示されている。ユーザ端末（ＵＴ）118 は、無線によって両セルサイト112 および114 と通信することができる。矢印120a、120bは、セルサイト112 とＵＴ118 との間で可能な通信リンクを示している。矢印122a、122bは、セルサイト114 とＵＴ118 との間で可能な通信リンクを示している。
【００１２】
セルサイト112 （ここではＢキャリアセルサイト112 と呼ぶ）はＢキャリアの通信システムの一部分であり、Ｂキャリアのサービス領域の一部分であるセルカバレージ領域124 にサービスを提供する。セルサイト114 （ここではＢ´キャリアセルサイト114 と呼ぶ）はＢ´キャリアの通信システムの一部分であり、Ｂ´キャリアのサービス領域の一部分であるセルカバレージ領域126 にサービスを提供する。上述したように、ＢキャリアおよびＢ´キャリアはそれぞれ異なったＳＩＤを有しており、これら２つのキャリアは同じ周波数セットを使用してサービスを提供する。このために、ＵＴ118 は、図１に示されているようにセルカバレージ領域124 とセルカバレージ領域126 との間の“境界領域”128 （斜線を付けられた部分によって表されている）内に位置したときにサービス獲得問題に遭遇する可能性がある。。以下に説明するように、これらの問題は、ＵＴが米国電気通信工業会（ＴＩＡ）／電子機械工業会（ＥＩＡ）／ＩＳ−９５規格に従うサービスの獲得を試みたときに発生する可能性がある。本発明はここにおいて参考文献とされているＴＩＡ／ＥＩＡ／ＩＳ−９５規格の制限内で機能し、ＵＴが“境界領域”内に位置したときにサービスを獲得することのできる可能性を改善する。
【００１３】
本発明を説明する前に、ＵＴがサービスを獲得するために使用する通常の方法を図２および３を参照して以下に説明する。この通常の方法は公開されて利用可能なＴＩＡ／ＥＩＡ／ＩＳ−９５規格にさらに詳細に記載されており、参照文献とされる。はじめに、ステップ204 においてＵＴは、選択（またはＵＴ中にプログラムされた）されたユーザ嗜好に基づいて使用するキャリアシステムを決定する。とくに、ＵＴがパワーアップされた（“オン”に切替えられた）とき、最初にＵＴが行うことの１つは、そのＵＴが使用できるセルラーキャリアを決定することである。これには、カスタムシステム選択プロセスによるセルラーキャリアの選択が含まれる。カスタムシステム選択に対する正確なプロセスは本発明の技術的範囲外である。しかしながら、例示のために、ＵＴは以下のユーザ嗜好を処理するようにプログラムされていると仮定する：
（ａ）ホームＳＩＤのみ
（ｂ）嗜好されたホームＳＩＤ
（ｃ）獲得すべき特定のＳＩＤのみ
（ｄ）獲得しない特定のＳＩＤ
【００１４】
たとえば、“ホームＳＩＤのみ”が選択された（ＵＴ中にプログラムされた）場合、ＵＴは、サービスのためにホームキャリア（たとえば、キャリアＢ）だけを使用すべきであると認識する。この決定に基づいてＵＴはサービングシステム状態を設定して、獲得可能なＳＩＤおよび、または獲得不可能なＳＩＤを示す。以下の説明のために、他に特定しない限り、ＵＴのサービングシステム状態は“ホームＳＩＤのみ”に設定されており、キャリアＢはホームＳＩＤに対応していると仮定する。
【００１５】
ＵＴは、それが使用することのできるキャリアシステム（この例では、Ｂキャリア）を決定した後、ＴＩＡ／ＥＩＡ／ＩＳ−９５規格に規定されている走査専用制御チャンネルプロセスを行う。このプロセスを開始するために、ＵＴはステップ606 において周波数の範囲（Ｂキャリアの専用制御チャンネルに関連した）を走査し、ステップ208 において最も強い制御チャンネルと２番目に強い制御チャンネルとを識別する。当業者によって認識されるように、走査された特定の周波数は、選択された（ＵＴ中にプログラムされた）ユーザ嗜好と、受理可能キャリアシステムに関連付けられる周波数とに依存する。たとえば、ＵＴのサービングシステムの状態は“ホームＳＩＤのみ”に設定されており、キャリアＢはホームＳＩＤに対応しているならば、ＵＴはＢキャリアの専用制御チャンネルと関連付けられた周波数を走査する。別の例では、ＵＴが種々の受理可能なキャリアの任意の１つによってサービスされることができるようにプログラムされていた（すなわち、“獲得すべき特定のＳＩＤのみ”が選択されていた）場合、ＵＴは複数の受理可能なキャリアの専用制御チャンネルに関連した周波数の範囲を走査する。専用制御チャンネルを走査した後、ＵＴは各チャンネルによって受信された生パワーの測定値に基づいて最も強いおよび２番目に強い制御チャンネルを決定する。その後、ステップ210 においてＵＴは最も強い制御チャンネルの獲得（そのチャンネルへの同調）を行い、ステップ212 において最も強い制御チャンネルによって受信された信号の復調を試みる（とくに、最も強い制御チャンネルのＳＩＤを決定するために）。
【００１６】
ステップ214 および216 に示されているように、ＵＴが最も強い制御チャンネルによって受信された信号を特定の長さの時間（たとえば、３秒のような予め定められた時間）内に復調することができなかった場合、ＵＴは２番目に強い制御チャンネルに同調する。ＵＴは種々の理由のために最も強い制御チャンネルによって受信された信号を復調することができない可能性がある。たとえば、最も強い制御チャンネルによって受信された信号は、制御信号ではなく雑音から成る信号であることがある。
【００１７】
ＵＴは、２番目に強い制御チャンネルに同調した後、ステップ218 において２番目に強い制御チャンネルによって受信された信号の復調を試みる。ステップ220 および222 に示されているように、ＵＴが２番目に強い制御チャンネルによって受信された信号を特定の長さの時間（たとえば、３秒のような予め定められた時間）内に復調することができなかった場合、ＵＴは現在の獲得試行を中止する。ＵＴは、現在の獲得試行を中止した後、プログラムされた再割当て基準にしたがって別のシステム［たとえば、Ａキャリアアナログシステム、符号分割多元接続（ＣＤＭＡ）システム、または時分割多元接続（ＴＤＭＡ）システム］の選択を試みてもよい。別のシステムの選択方法を決定する正確なプロセスは本発明の技術的範囲外のものである。その代りに、ＵＴは、それがステップ206 に戻るようにプログラムされているならば、そうしてもよい。たとえば、ＵＴが“ホームＳＩＤのみ”に対してプログラムされている場合、ＵＴは現在の獲得試行を中止した後、ステップ206 に戻るようにプログラムされている可能性がある。
【００１８】
ＵＴは、ステップ218 において２番目に強いチャンネルにより受信された信号の復調に成功した場合、ステップ222 において復調された信号に関連したＳＩＤを決定する。ステップ228 において復調された信号に関連したＳＩＤが受理可能であると分かった（たとえば、そのＳＩＤが受理可能なＳＩＤのリストからのものであると決定された）場合、ＳＩＤはステップ230 で保存され、走査ペイジングチャンネルプロセスがＴＩＡ／ＥＩＡ／ＩＳ−９５規格において定められているように行われる。たとえば、ＵＴが“ホームＳＩＤのみ”用にプログラムされている場合、ＵＴは、復調された信号に関連したＳＩＤがホームＳＩＤと同じである場合にのみ走査ペイジングチャンネルプロセスを行う。ステップ232 として示されている走査ペイジングチャンネルプロセスについては図３を参照にして説明する。
【００１９】
ステップ214 に戻ると、ＵＴが最も強い制御チャンネルによって受信された信号を復調することができた場合、ＵＴはステップ234 でその信号と関連したＳＩＤを決定する。ステップ236 においてＵＴはその最も強い制御チャンネルによって受信された信号に関連したＳＩＤが受理可能なＳＩＤであるかどうかを決定する。最も強い制御チャンネルによって受信された信号に関連したＳＩＤが受理可能なＳＩＤである（たとえば、受理可能なＳＩＤのリストからのものである）場合には、ステップ230 においてそのＳＩＤが保存され、図３に示されている走査ペイジングチャンネルプロセスがステップ232 で行われる。最も強い制御チャンネルによって受信された信号に関連したＳＩＤが受理可能なＳＩＤではない場合、そのＵＴはステップ224 において現在の獲得試行を中止する。上述したように、現在のシステム獲得試行を中止した後、ＵＴはプログラムされた再割当て基準にしたがって別のシステム（たとえば、Ａキャリアアナログシステム、ＣＤＭＡシステム、またはＴＤＭＡシステム）の選択を試みてもよい。その代りに、ＵＴは、それがステップ206 に戻るようにプログラムされているならば、そうすることができる。
【００２０】
ステップ230 においてＳＩＤが保存された後、ステップ306 において受理可能なキャリアに関連したペイジングチャンネルを走査するＵＴにより走査ペイジングチャンネルプロセスが始められる。たとえば、ＵＴのサービングシステム状態が“ホームＳＩＤのみ”に設定され、ＢキャリアがホームＳＩＤに対応している場合、ＵＴはＢキャリアのペイジングチャンネルに関連した周波数を走査する。ペイジングチャンネルは、ステップ206 において走査された専用制御チャンネルとは異なった周波数を有することができる。しかしながら、多くのキャリアは専用制御チャンネルおよびペイジングチャンネルに対して同じ周波数を使用していることが認識される。したがって、ステップ306 において走査された周波数はステップ206 において走査されたものと同じ周波数である可能性がある。
【００２１】
図３を参照すると、ＵＴは、ペイジングチャンネルを走査した後、ステップ308 において各チャンネルによって受信された生パワーの測定値に基づいてどのチャンネルが最も強いおよび２番目に強いペイジングチャンネルであるかを決定する。その後、ＵＴはステップ310 において最も強い専用制御チャンネルの獲得（への同調）を行い、ステップ312 において最も強い制御チャンネルによって受信された信号の復調を試みる（最も強い制御チャンネルのＳＩＤを決定するために）。
【００２２】
ステップ314 および316 に示されているように、ＵＴが最も強いペイジングチャンネルによって受信された信号を特定の長さの時間（たとえば、３秒のような予め定められた時間）内に復調することができなかった場合、ＵＴは２番目に強いペイジングチャンネルに同調する。ＵＴは種々の理由のために最も強いペイジングチャンネルによって受信された信号を復調することができない可能性がある。たとえば、最も強いペイジングチャンネルによって受信された信号はペイジング信号ではなく雑音から成る信号であることがある。
【００２３】
ＵＴは、２番目に強いペイジングチャンネルに同調した後、ステップ318 において２番目に強いペイジングチャンネルによって受信された信号の復調を試みる。ステップ320 および322 に示されているように、ＵＴが２番目に強いペイジングチャンネルによって受信された信号を特定の長さの時間（たとえば、３秒のような予め定められた時間）内に復調することができなかった場合、ＵＴは現在の獲得試行を中止する。現在の獲得試行を中止した後、ＵＴはプログラムされた再割当て（ｒｅｄｉｒｅｃｔｉｏｎ）基準にしたがって別のシステム（たとえば、Ａキャリアアナログシステム、ＣＤＭＡシステム、またはＴＤＭＡシステム）の選択を試みてもよい。その代りに、ＵＴは、それがステップ206 に戻るようにプログラムされているならば、そうしてもよい。別のシステムの選択方法を決定する正確なプロセスは本発明の技術的範囲外のものである。
【００２４】
ＵＴは、ステップ320 において２番目に強いチャンネルにより受信された信号の復調に成功した場合、ステップ322 において復調された信号に関連したＳＩＤを決定する。ステップ328 においてＵＴは復調された信号に関連したＳＩＤをステップ230 で記憶されたＳＩＤと比較する。復調された信号に関連したＳＩＤがステップ230 で記憶されたＳＩＤと同じならば、ＴＩＡ／ＥＩＡ／ＩＳ−９５規格に定められているように、ＵＴはステップ330 においてアイドルタスク状態に入る。
【００２５】
ステップ314 に戻ると、ＵＴは、それが最も強いペイジングチャンネルによって受信された信号を復調することができた場合、ステップ334 においてその信号に関連したＳＩＤを決定する。ステップ336 において、ＵＴは、最も強いペイジングチャンネルによって受信された信号に関連したＳＩＤがステップ230 で記憶されたＳＩＤに等しいかどうかを決定する。最も強いペイジングチャンネルによって受信された信号に関連したＳＩＤがステップ230 で保存されたＳＩＤに等しい場合、ＵＴはステップ330 においてアイドルタスクに入る。最も強いペイジングチャンネルによって受信された信号に関連したＳＩＤが記憶されたＳＩＤと等しくない場合には、ＵＴはステップ324 において現在の獲得試行を中止する。上述したように、現在の獲得試行を中止した後、ＵＴはプログラムされた再割当て基準にしたがって別のシステム（たとえば、Ａキャリアアナログシステム、ＣＤＭＡシステム、またはＴＤＭＡシステム）の選択を試みてもよいし、あるいは、それがステップ206 に戻るようにプログラムされているならば、そうしてもよい。
【００２６】
ＵＴは、それがステップ330 でアイドルタスクに入ると適切なチャンネルを監視して電話呼（またはペイジ）を待つ。さらに、ＵＴはアイドルタスク状態で呼を開始することができる。ＵＴがアイドルタスク状態に入ってから発生することは本発明の技術的範囲外であることに注意すべきである。重要なのは、ＵＴがサービスを獲得するためにアイドルタスク状態に入らなければならないことである。したがって、本発明の目的は、ＵＴがアイドルタスク状態に入る可能性を高めることである。
【００２７】
以下の説明は、“境界領域”内に位置しているＵＴが、上述した獲得プロセスにしたがってサービスを獲得しようと試みたときに獲得を中止する状態の例である。これらのタイプの状態は、加入者の住居またはオフィスが“境界領域”内にある場合、かなり頻繁に発生する。以下の説明にはまた、本発明がどのようにしてＵＴがサービスを獲得する可能性を増加させるかも示されている。これは、最も強い制御またはペイジングチャンネルによって受信された信号の復調が成功した場合でも、ＵＴが２番目に強いチャンネルのＳＩＤを見ることを可能にすることにより行われる。
【００２８】
第１の例において、“境界領域”128 内に位置するＵＴ118 は最も強いチャンネルに同調し、その最も強いチャンネルによって受信された信号の復調に成功し、その後その信号に関連したＳＩＤが受理可能なＳＩＤではないと決定する。上述された通常の獲得プロセスを使用しているときこの状態が生じたならば、ＵＴはシステム獲得を中止していた。本発明では、ＵＴを２番目に強い制御チャンネルに同調させ、その２番目に強い制御チャンネルに関連したＳＩＤが受理可能かどうかを調べさせることによって、ＵＴがサービスを獲得する可能性が増加される。２番目に強い制御チャンネルに関連したＳＩＤが受理可能である場合、ＵＴはそのＳＩＤを保存し、走査ペイジングチャンネルプロセスに進む。
【００２９】
第２の例において、“境界領域”128 内に位置するＵＴ118 は走査専用制御チャンネルプロセス中におけるＳＩＤの保存に成功し、走査ペイジングチャンネルプロセスに進み、最も強いチャンネルに同調し、その最も強いチャンネルによって受信された信号の復調に成功し、その後その信号に関連したＳＩＤが走査専用制御チャンネルプロセス中に保存されたＳＩＤに等しくないと決定する。上述された通常の獲得プロセスを使用したときこのような状態が発生したならば、ＵＴはシステム獲得を中止した。本発明では、ＵＴを２番目に強いペイジングチャンネルに同調させ、その２番目に強いペイジングチャンネルに関連したＳＩＤが保存されたＳＩＤに等しいかどうかを調べさせることによって、ＵＴがサービスを獲得する可能性が増加される。
【００３０】
以下、図４および５を参照して本発明をさらに詳細に説明する。図４は、本発明の１実施形態にしたがって専用制御チャンネルを走査し、獲得する改善された方法を説明するために使用される。図５は、本発明の１実施形態にしたがってペイジングチャンネルを走査し、獲得する改善された方法を説明するために使用される。
【００３１】
図４のフローチャートは、図２のフローチャートに非常に類似している。２つのフローチャートの主な違いは、ＳＩＤ（復調に成功した信号の）がステップ236 において受理可能ではないと分かった（すなわち、ステップ236 に対する答えがノーである）場合、ＵＴはステップ216 に進み、ステップ224 で獲得を中止するのではなく２番目に強い制御チャンネルに同調することである。図５のフローチャートは、図３のフローチャートに非常に類似している。２つのフローチャートの主な違いは、ステップ336 におけるＳＩＤが記憶されたＳＩＤと同じではないと分かった（すなわち、ステップ336 に対する答えがノーである）場合、ＵＴはステップ316 に進み、ステップ324 で獲得を中止するのではなく２番目に強いペイジングチャンネルに同調することである。
【００３２】
本発明は、２つのセル間の“境界領域”内において著しい時間を費やす加入者に影響を及ぼす主要な獲得問題を克服する助けとなる。たとえば、Ｂ´キャリアのほうが強い信号を有する“境界領域”内のある場所にＢキャリアの加入者が住んでいる場合、あるいはＢキャリア信号およびＢ´キャリア信号の強度が互いに非常に近い場合、本発明は、その加入者がＢキャリアからサービスを獲得することのできる可能性を劇的に増加させる。
【００３３】
サービスを獲得する可能性は、ＵＴに２番目に強いチャンネル以外のものを調べさせることによってさらに一層増加されることができる。たとえば、図４のステップ208 は“最も強い、２番目に強いおよび３番目に強いチャンネルを決定する”に修正されることができる。したがって、ＳＩＤがステップ228 において受理可能ではないと分かった場合には、ＵＴは３番目に強いチャンネルに同調し、その３番目に強いチャンネルによって受信された信号を復調しようと試み、３番目に強いチャンネルに関連したＳＩＤが受理可能なＳＩＤならば、それを保存することができる。これらのステップが予め定められた時間内に行われることを確実にするためのチェックが行われることができる。さらに、受理可能なＳＩＤに関連した信号の信号強度が少なくとも予め定められたパワーレベルであることを確実にするためのチェックが行われることができる。
【００３４】
ＴＩＡ／ＥＩＡ／ＩＳ−９５規格に完全には従っていない本発明の任意のステップが受信端（すなわち、ユーザ端末）で行われ、したがって別のユーザ端末によって行われるシステム獲得に影響を与えないので、本発明はＴＩＡ／ＥＩＡ／ＩＳ−９５規格の制限内のものと考えられる。もっと一般的に述べると、本発明は干渉を増加させない。
【００３５】
さらに、本発明は、システムプロバイダ（すなわち、キャリア）による修正を必要とせずにシステム獲得の可能性を増加させる。とくに、本発明の全ての特徴はセルサイトまたはＭＳＴＯではなくユーザ端末において実施される。ユーザ端末118 において使用される例示的なトランシーバ600 が図６に示されている。
【００３６】
トランシーバ600 は、通信信号を受信する少なくとも１つのアンテナ610 を使用し、その通信信号がアナログ受信機614 に転送され、ここで下方変換され、増幅されてデジタル化される。同じアンテナが送信および受信の両機能を行えるようにするために送受信切換え素子612 がしばしば使用される。しかしながら、システムによっては異なった送信および受信周波数で動作する別々のアンテナを使用する。
【００３７】
アナログ受信機614 により出力されたデジタル通信信号は、少なくとも１つのデジタルデータ受信機616Aおよび少なくとも１つのサーチャ受信機618 に転送される。当業者に認識されるように、所望のレベルの信号ダイバーシティを得るために、許容可能なトランシーバ複雑さのレベルに応じて追加のデジタルデータ受信機616B乃至616Nを使用することができる。
【００３８】
少なくとも１つのユーザ端末制御プロセッサ620 は、デジタルデータ受信機616A乃至616Nおよびサーチャ受信機618 に結合されている。制御プロセッサ620 は数ある機能のうち、基本的な信号処理、タイミング、パワーおよびハンドオフ制御または調整、ならびに信号キャリアに対して使用される周波数の選択を行う。制御プロセッサ620 による信号処理は、相対的な信号強度の決定と、種々の関連した信号パラメータの計算とを含むことができる。タイミングおよび周波数のような信号パラメータのこのような計算は、測定における効率または速度を増加させ、あるいは制御処理リソースの割当てを改善するために追加のまたは分離した専用回路の使用することによって行われてもよい。
【００３９】
デジタルデータ受信機616A乃至616Nは、ユーザ端末内においてデジタルベースバンド回路622 に結合されている。このユーザデジタルベースバンド回路622 はユーザ端末との間で情報を転送するために使用される処理および表示素子を含んでいる。すなわち、トランジエントまたは長期間デジタルメモリのような信号またはデータ記憶素子と、表示スクリーン、スピーカ、キーパッド端末および送受話器のような入出力装置と、Ａ／Ｄ素子と、ボコーダと、ならびにその他の音声およびアナログ信号処理素子等が全て、技術的によく知られている素子を使用してユーザデジタルベースバンド回路622 の部分を形成している。ダイバーシティ信号処理が使用される場合、ユーザデジタルベースバンド回路622 はダイバーシティ結合器を含むことができる。これらの素子のいくつかはまた制御プロセッサ620 の制御下で、あるいはそれと通信して動作してもよい。たとえば、制御プロセッサ620 は、受理可能なキャリアによって使用される全ての無線チャンネル（周波数情報を含む）のリストを記憶するメモリを含むことができる。
【００４０】
音声または他のデータがユーザ端末から発信される出力メッセージまたは通信信号として準備された場合、ユーザデジタルベースバンド回路622 は所望のデータを受信し、記憶して処理するために、また、他の場合には所望のデータを送信する準備を整えるために使用される。ユーザデジタルベースバンド回路622 はこのデータを送信変調器626 に供給し、この送信変調器626 は制御プロセッサ620 の制御下で動作する。送信変調器626 の出力はパワー制御装置628 に転送され、このパワー制御装置628 は、出力信号をアンテナ610 からセルサイトに最終的に送信するために出力パワー制御を送信パワー増幅器630 に渡す。
【００４１】
デジタル受信機616A乃至616Nおよびサーチャ受信機618 は、特定の信号を復調し、追跡するように構成されている。サーチャ受信機618 は、パイロット信号、専用制御チャンネル、ペイジングチャンネルまたは他の比較的固定されたパターンの強い信号をサーチするために使用され、一方デジタル受信機616A乃至616Nはその他の信号を復調するために使用される。したがって、これらの装置の出力は、受信された信号中のエネルギ、または受信された信号の周波数を決定するために監視されることができる。これらの受信機はまた監視可能な周波数追跡素子を使用して、復調される信号に対する現在の周波数およびタイミング情報を制御プロセッサ620 に与えることができる。制御プロセッサ620 は復調された信号を使用して、とくに受信された信号に関連したＳＩＤを決定する。
【００４２】
本発明の特徴は、事実上コンピュータシステムを含む制御プロセッサ620 によって行われ、および、または制御されると予想される。このようなコンピュータシステムには、たとえば、通信バスに接続された１以上のプロセッサが含まれている。本発明を実施するために特定通信向けハードウェアが使用されることができるが、以下においては完全さのために汎用型コンピュータシステムを説明する。
【００４３】
コンピュータシステムはまた、ランダムアクセスメモリ（ＲＡＭ）であることが好ましい主メモリを含むことができ、補助メモリを含むこともできる。補助メモリは、たとえばハードディスクドライブおよび、または取外し可能な記憶装置ドライブを含むことができる。取外し可能な記憶装置ドライブは、よく知られている方法で取外し可能な記憶装置との間で読出しおよび、または書込みを行う。取外し可能な記憶装置は、取外し可能な記憶装置ドライブによって読出され、書込まれるフロッピーディスク、磁気テープ、光ディスク等のことである。取外し可能な記憶装置には、コンピュータソフトウェアおよび、またはデータがそこに記憶されるコンピュータ使用可能記憶媒体が含まれる。
【００４４】
補助メモリは、コンピュータプログラムまたはその他の命令がコンピュータシステム中にロードされることを可能にする別の類似した手段を含むことができる。このような手段は、たとえば、取外し可能な記憶装置およびインターフェースを含むことができる。このようなものの例には、プログラムカートリッジおよびカートリッジインターフェース（ビデオゲーム装置内で見られるような）、取外し可能なメモリチップ（ＥＰＲＯＭまたはＰＲＯＭのような）および関連したソケット、ならびにソフトウェアおよびデータが取外し可能な記憶装置からコンピュータシステムに転送されることを可能にする他の取外し可能な記憶装置およびインターフェースが含まれることができる。
【００４５】
コンピュータシステムはまた通信インターフェースを含むことができる。通信インターフェースは、ソフトウェアおよびデータがコンピュータシステムと外部装置との間で転送されることを可能にする。通信インターフェースの例には、モデム、ネットワークインターフェース（イーサネットカードのような）、通信ポート、ＰＣＭＣＩＡスロットおよびカード等が含まれるが、それに限定されない。通信インターフェースを介して転送されるソフトウェアおよびデータは、電子信号、電磁信号、光信号、あるいは通信インターフェースが受取ることのできるその他の信号の形態である。これらの信号は、ワイヤまたはケーブル、光ファイバ、電話線、セルラー電話リンク、ＲＦリンク等を使用して構成されることができるチャンネルによって通信インターフェースに供給される。
【００４６】
この明細書では、取外し可能な記憶装置、ＵＴ118 内の取外し可能なメモリチップ（ＥＰＲＯＭまたはＰＲＯＭのような）および信号のような媒体を一般的に示すために“コンピュータプログラム媒体”および“コンピュータ使用可能媒体”という用語が使用されている。コンピュータプログラム製品はソフトウェアをコンピュータシステムに提供するための手段である。
【００４７】
コンピュータプログラム（コンピュータ制御論理とも呼ばれる）は、主メモリおよび、または補助メモリ中に記憶されている。コンピュータプログラムはまた通信インターフェースによって受取られることができる。このようなコンピュータプログラムは、実行されたときに、コンピュータシステムがここに記載されている本発明のある特徴を行うことを可能にする。たとえば、図４および５に示されているフローチャートの特徴はこのようなコンピュータプログラムで実施されることができる。とくにコンピュータプログラムは、それが実行されたときに、制御プロセッサ620 が本発明の特徴のパフォーマンスを行い、および、または、それを発生させることを可能にする。したがって、このようなコンピュータプログラムはユーザ端末のコンピュータシステムの制御装置を表す。したがって、このようなコンピュータプログラムは、たとえば、どの制御およびペイジングチャンネルが走査されるかを制御する。
【００４８】
本発明がソフトウェアを使用して実施される１実施形態においては、ソフトウェアはコンピュータプログラム製品中に記憶され、取外し可能な記憶装置ドライブ、メモリチップまたは通信インターフェースを使用してコンピュータシステム中にロードされることができる。制御論理（ソフトウェア）は、制御プロセッサ620 によって実行されたとき、ここに記載されている本発明のある特徴を制御プロセッサ620 に行わせる。
【００４９】
別の実施形態において、本発明の特徴は主としてハードウェアにおいて、たとえば、特定用途向け集積回路（ＡＳＩＣ）のようなハードウェアコンポーネントを使用して実施される。当業者は、ここに記載されている機能を行うハードウェア状態マシンの構成を認識するであろう。
【００５０】
さらに別の実施形態において、本発明の特徴はハードウェアおよびソフトウェアの組合せを使用して実施されることができる。
【００５１】
上記の好ましい実施形態の説明により、当業者は本発明を形成し、使用することを可能となる。本発明はとくに好ましい実施形態を参照して図示および説明されてきたが、当業者は、本発明の技術的範囲を逸脱することなく形態および詳細の種々の変更が可能であることを認識するであろう。
【図面の簡単な説明】
【図１】  本発明が有用な一般的な通信システムの概略図。
【図２】  ユーザ端末により行われるシステム獲得プロセス中に制御チャンネルを走査して獲得する通常の方法を示すフローチャート。
【図３】  ユーザ端末により行われるシステム獲得プロセス中にペイジングチャンネルを走査して獲得する通常の方法を示すフローチャート。
【図４】  本発明の１実施形態による、ユーザ端末により行われるシステム獲得プロセス中に制御チャンネルを走査して獲得する改善された方法を示すフローチャート。
【図５】  本発明の１実施形態による、ユーザ端末により行われるシステム獲得プロセス中にペイジングチャンネルを走査して獲得する改善された方法を示すフローチャート。
【図６】  ユーザ端末において使用されるトランシーバの一例を示す概略図。
【図１】
0004522631.tif 000002
【図２】
0004522631.tif 000003
【図３】
0004522631.tif 000004
【図４】
0004522631.tif 000005
【図５】
0004522631.tif 000006
【図６】
0004522631.tif 000007